(57)【特許請求の範囲】
【請求項１】
操作パネルに回動自在に軸支され記録媒体挿入口を開閉するリッドの回動角度が操作パネルの背後に取付けられたプリント基板の穴の縁により制限されるように構成した記録媒体記録再生装置の記録媒体挿入口構造。
【発明の詳細な説明】
【０００１】
【発明の属する技術分野】
この発明は記録媒体記録再生装置に係わり、特に、ミニディスク記録再生装置に好適な記録媒体挿入口構造に関する。
【０００２】
【従来の技術】
従来、カートリッジに収納された光磁気ディスクであるミニディスク（以下ＭＤと称する）記録再生装置が知られている。図４にそのＭＤ記録再生装置の外観を示す。図に示すようにＭＤ記録再生装置の前面に配置された樹脂製の操作パネル１にはＭＤ挿入口１ａが開口している。
【０００３】
図５に示すように、操作パネル１には背後に延びる挿入口枠１ｂが一体に成形されており、挿入口枠１ｂには挿入口を開閉するリッド２が回動自在に嵌着され、さらに、操作パネル１の背後にプリント基板３が取付けられる。
【０００４】
図６に操作パネル１に樹脂製のリッド２およびプリント基板３が取付けられた状態を示す。リッド２はＭＤが挿入・排出状態にないときは重力またはバネの力により垂直に垂れ下がりＭＤ挿入口１ａを塞いでいる。すなわち、リッド２はＭＤ挿入口１ａから内部が見えないようにすると共にゴミ等の侵入を防いでいる。
【０００５】
図７はＭＤ５が挿入される状態を示し、図８はＭＤ５が排出される状態を示している。ＭＤ５を挿入するときは、図７に示すように、リッド２はＭＤ５に押され一点鎖線で示すように反時計方向回動してＭＤ５を通過させる。そして、ＭＤ５はプリント基板３の穴３ｃを通り記録再生部メカニズム４の記録再生位置に装着される。
【０００６】
また、ＭＤ５を排出するときは、図８に示すように、ＭＤ５は記録再生部メカニズム４の記録再生位置からプリント基板３の穴３ｃを通して排出され、さらにリッド２を押して一点鎖線で示すように時計方向に回動させて挿入口から操作パネル１の外に排出される。
【０００７】
ＭＤは記録再生部メカニズム４に向けてなるべく水平に挿入することが望ましいが、図７および図８で説明した従来のＭＤ挿入口構造ではプリント基板３の穴３ｃが大きく開いているために、リッド２が図９に示すように大きく回動することができ、ＭＤ５を大きく傾けて挿入することも可能である。
【０００８】
そこで、図１０に示すように操作パネル１の挿入口枠１ｂにストッパー１ｃを形成するようになった。このストッパー１ｃは図１１に示すようにリッド２が反時計方向に回動するときリッド２の回動角を規制するものである。そして、ＭＤの挿入時の傾斜角度を制限することを目的としている。
【０００９】
【発明が解決しようとする課題】
上記従来の図１０および図１１で説明したＭＤ挿入口構造では挿入口枠１ｂにストッパー１ｃが一体に形成されている。これらは操作パネル１と一体に樹脂成形されるものであり、挿入口枠１ｂの肉厚を１ｍｍとした場合にストッパー１ｃの肉厚ｔを０．７ｍｍ以上とすると挿入口枠１ｂの部分にヒケが生じるためストッパー１ｃの肉厚を余り厚くできない。
【００１０】
さらに、樹脂部品には不可欠な抜きテーパを設けるとストッパー１ｃの長さには限界がある。このためリッド２を所望の回転角で止めるために必要な長さが必ずしも取れるとは限らず、ストッパー１ｃは必ずしもリッド２を所望の回転角で止める形状とはなっていなかった。
【００１１】
そのため、現状では殆どの場合リッド２が必要以上の回転角まで回転するようになっていた。また、ストッパー１ｃは厚みがそれほど厚くなく、（操作パネルの厚みが１．５も程度であることから殆どの場合１ｍｍ程度）強い力が加わると破損することもあった。
【００１２】
これらのことから、ＭＤの挿入角度をリッドで制限することが十分に行われていなかった。そしてＭＤを大きく傾斜させて挿入されることがあった。一方記録再生部メカニズム４のＭＤの装着部は防振のために浮動支持されており、傾斜されて挿入されたＭＤに押し下げられることもあり、図１２に示すように１枚目のＭＤを挿入したまま２枚目のＭＤを間違って入れる恐れもあった。ＭＤを２枚挿入すると、メカニズムの破損に至ることがある。
【００１３】
この発明は上記した点に鑑みてなされたものであって、その目的とするところは、記録媒体の挿入時の傾斜角度を確実に必要範囲に制限できる記録媒体記録再生装置の記録媒体挿入口構造を提供することにある。
【００１４】
【課題を解決するための手段】
この発明の記録媒体記録再生装置の記録媒体挿入口構造は、操作パネルに回動自在に軸支され記録媒体挿入口を開閉するリッドの回動角度が操作パネルの背後に取付けられたプリント基板の穴の縁により制限されるように構成したものである。
【００１６】
【発明の実施の形態】
この発明の実施例であるＭＤ記録再生装置のＭＤ挿入口構造を図面に基づいて説明する。この実施例は構造は図４〜図９で説明した従来例のものと基本的に類似しているが図１に示すようにプリント基板３の穴３ｃの上側の縁に図で斜線で示す延長部３ａを下側に延在させている。他の構成は図４〜図９で示した従来例と同様である。
【００１７】
図２に実施例でのＭＤ５の挿入時の状態を示す。図に示すように、リッド２はＭＤ２に押されて反時計方向に回動するが、プリント基板３の縁３ｂと当接して回動角度が制限される。プリント基板３の剛性および強度は大きいのでリッド２の圧力に対する歪みは極めて小さく、また、破壊されることもない。
【００１８】
図３にＭＤを故意に傾斜させて挿入させた状態を示す。この場合リッド２の回動角が制限されてＭＤの傾斜角も所定内に確実に制限される。従って、ＭＤ５によりＭＤ５の装着部を押し下げて記録再生部メカニズムにＭＤが２枚挿入することが確実に防止される。
【００２０】
【発明の効果】
この発明の記録媒体記録再生装置の記録媒体挿入口構造によれば、リッドの記録媒体挿入口を開閉するリッドの回動角度を確実に制限でき、記録媒体の２枚挿入を防ぐことができる。
【００２１】
また、記録媒体の挿入時のリッドの回動角度を制限するストッパーとして樹脂成型品の代わりに操作パネルとは別体のプリント基板が用いられているので、この部材の強度および剛性を大きくすることにより、リッドの回動角が確実に定位置に規制される。
【図面の簡単な説明】
【図１】この発明の実施例であるＭＤ記録再生装置のＭＤ挿入口構造を背後から見た斜視図である。
【図２】同ＭＤ挿入口構造のＭＤ挿入状態を示す断面図である。
【図３】同ＭＤ挿入口構造の他のＭＤ挿入状態を示す断面図である。
【図４】ＭＤ記録再生装置の外観を示す斜視図である。
【図５】従来のＭＤ記録再生装置のＭＤ挿入口構造を背後から見た分解斜視図である。
【図６】図６（ａ）は従来のＭＤ記録再生装置のＭＤ挿入口構造を背後から見た斜視図、図６（ｂ）は図６（ａ）の一部拡大図である。
【図７】従来のＭＤ記録再生装置のＭＤ挿入口構造のＭＤ挿入状態を示す断面図である。
【図８】同ＭＤ挿入口構造のＭＤ排出状態を示す断面図である。
【図９】同ＭＤ挿入口構造の他のＭＤ挿入状態を示す断面図である。
【図１０】従来のＭＤ記録再生装置のＭＤ挿入口構造の他の例における操作パネルを背後から見た斜視図である。
【図１１】同ＭＤ挿入口構造のＭＤ挿入状態を示す断面図である。
【図１２】同ＭＤ挿入口構造の他のＭＤ挿入状態を示す断面図である。
【符号の説明】
１  操作パネル、１ａ  ＭＤ挿入口、１ｂ  挿入口枠、１ｃ  ストッパー
２  リッド
３  プリント基板、３ａ  延長部、３ｂ  縁、３ｃ  穴
４  記録再生部メカニズム
５  ＭＤ
【図１】
0003765704.tif 000002
【図２】
0003765704.tif 000003
【図３】
0003765704.tif 000004
【図４】
0003765704.tif 000005
【図５】
0003765704.tif 000006
【図６】
0003765704.tif 000007
【図７】
0003765704.tif 000008
【図８】
0003765704.tif 000009
【図９】
0003765704.tif 000010
【図１０】
0003765704.tif 000011
【図１１】
0003765704.tif 000012
【図１２】
0003765704.tif 000013